(57)【特許請求の範囲】
【請求項１】
上面に洗面ボウルを有する洗面カウンターの後端にバックガード部が立設され、バックガード部の前面に洗面ボウルの排水栓を開閉動作させる操作手段を備え、操作手段と排水栓とはレリースによって連結されており、操作手段の操作によりレリースのアウターチューブ内をインナーワイヤが摺動し、これに連動して排水栓が上下方向に開閉動作される排水栓遠隔操作装置であって、バックガード部の前面に上下方向でスライド動作される操作体を操作手段として付設して、操作体にはバックガード部の内部スペースに突出する連結部を設け、同内部スペースではレリースの端部を上方へ向けて固定し、このレリースの端部で上下方向に摺動されるインナーワイヤの上端と前記操作体の連結部とを結合してなる排水栓遠隔操作装置。
【請求項２】
バックガード部の内部スペースにおいて、レリースのアウターチューブの端部をバックガード部の前面壁の裏側に支持部材を介して結合固定し、操作体の連結部を後下方へと折曲した略Ｌ字状に形成して、この略Ｌ字状の連結部の下端と前記レリースのインナーワイヤの上端とを結合したことを特徴とする請求項１記載の排水栓遠隔操作装置。
【請求項３】
バックガード部の前面壁に形成した取付用開口に操作体を上下方向スライド自在に係合保持させ、操作体の前表面に操作摘み片を突設したことを特徴とする請求項１又は２記載の排水栓遠隔操作装置。
【発明の詳細な説明】
【技術分野】
【０００１】
本願発明は、洗面ボウルの排水栓を開閉動作させる操作手段を備え、操作手段と排水栓とがレリースによって連結された排水栓遠隔操作装置に関するものである。
【背景技術】
【０００２】
従来から、図３に示すように、洗面ボウル１の排水栓４を開閉動作させる操作手段Ｂを備え、操作手段Ｂと排水栓４とがレリース５によって連結された排水栓遠隔操作装置は知られている（特許文献１：特開平７−２２４４５１号公報）。この場合、操作手段Ｂの操作によりレリース５のアウターチューブ６内をインナーワイヤ７が摺動し、これに連動して排水栓４が上下方向に開閉動作されるものである。
【０００３】
この排水栓遠隔操作装置にあっては、操作手段Ｂによる遠隔操作によって排水栓４を開閉動作させることができる。しかしながら、この場合、洗面ボウル１を有する洗面カウンター２の上面に上下方向でスライド動作される操作体８が操作手段Ｂとして突設されており、この操作体８が邪魔になって洗面カウンター２の上面を広く使用することができないものであった。
【０００４】
また、図４に示すように、洗面カウンター２の後端に立設されたバックガード部３の前面に、操作手段Ｃとして操作体８が付設された排水栓遠隔操作装置も知られている（特許文献２：特開２００５−１３３３３１号公報）。この排水栓遠隔操作装置にあっては、洗面カウンター２の上面に操作手段Ｃが存在しないので、この洗面カウンター２の上面を広く使用することはできる。
【０００５】
しかしながら、この場合、バックガード部３の前面で操作体８が前後方向にスライド動作されるものであり、操作体８は前方へ突出動作された際に邪魔になる。しかも、バックガード部３の内部スペースＳでレリース５は湾曲され、この湾曲の曲率半径が小さくなると、レリース５のアウターチューブ６内におけるインナーワイヤ７の摺動性に支障を来たすということで同曲率半径は大きくされ、そのため、バックガード部３の前後奥行き寸法が大きくなってしまうものであった。
【特許文献１】特開平７−２２４４５１号公報
【特許文献２】特開２００５−１３３３３１号公報
【発明の開示】
【発明が解決しようとする課題】
【０００６】
本願発明は、上記背景技術に鑑みてなされたもので、その課題は、操作手段が邪魔にならず洗面カウンター上を広く使用することができ、バックガード部の前後奥行き寸法を小さく抑えてコンパクト化を図ることもできる排水栓遠隔操作装置を提供することである。
【課題を解決するための手段】
【０００７】
上記課題を解決するために、本願発明の排水栓遠隔操作装置は、上面に洗面ボウルを有する洗面カウンターの後端にバックガード部が立設され、バックガード部の前面に洗面ボウルの排水栓を開閉動作させる操作手段を備え、操作手段と排水栓とはレリースによって連結されており、操作手段の操作によりレリースのアウターチューブ内をインナーワイヤが摺動し、これに連動して排水栓が上下方向に開閉動作される排水栓遠隔操作装置であって、バックガード部の前面に上下方向でスライド動作される操作体を操作手段として付設して、操作体にはバックガード部の内部スペースに突出する連結部を設け、同内部スペースではレリースの端部を上方へ向けて固定し、このレリースの端部で上下方向に摺動されるインナーワイヤの上端と前記操作体の連結部とを結合してなるものである。
【発明の効果】
【０００８】
本願発明の排水栓遠隔操作装置においては、バックガード部の前面に洗面ボウルの排水栓を開閉動作させる操作手段を備えており、しかも、操作手段として付設される操作体がバックガード部の前面に上下方向でスライド動作されるものであるため、操作手段となる操作体は邪魔にならず、洗面ボウルを有する洗面カウンターの上面及びその上方を広く使用することができる。
【０００９】
また、操作体にはバックガード部の内部スペースに突出する連結部が設けられ、同内部スペースではレリースの端部が上方へ向けて固定され、このレリースの端部で上下方向に摺動されるインナーワイヤの上端と前記操作体の連結部とが結合されるため、レリースはバックガード部の内部スペースで曲げられることなく略直線状とされ、レリースのアウターチューブ内におけるインナーワイヤの摺動性に支障を来たすことがない。
【００１０】
更に、この場合、レリースは上下方向で略直線状にして収容され、バックガード部の内部スペースを前後に狭く形成することができ、バックガード部の前後奥行き寸法を小さく抑えて洗面カウンターのコンパクト化を図ることもできる。
【発明を実施するための最良の形態】
【００１１】
図１、２は、本願の請求項１〜３全てに対応した一実施形態を示している。この実施形態の排水栓遠隔操作装置は、図１に示すように、上面に洗面ボウル１を有する洗面カウンター２の後端にバックガード部３が立設され、バックガード部３の前面に洗面ボウル１の排水栓４を開閉動作させる操作手段Ａを備えている。そして、操作手段Ａと排水栓４とはレリース５によって連結されており、操作手段Ａの操作によりレリース５のアウターチューブ６内をインナーワイヤ７が摺動し、これに連動して排水栓４が上下方向に開閉動作されるものである。
【００１２】
この場合に、バックガード部３の前面に上下方向でスライド動作される操作体８を操作手段Ａとして付設して、操作体８にはバックガード部３の内部スペースＳに突出する連結部９を設け、同内部スペースＳではレリース５の端部を上方へ向けて固定し、このレリース５の端部で上下方向に摺動されるインナーワイヤ７の上端７ａと前記操作体８の連結部９とを結合している。
【００１３】
この実施形態の排水栓遠隔操作装置にあっては、バックガード部３の内部スペースＳにおいて、レリース５のアウターチューブ６の端部をバックガード部３の前面壁３１の裏側に支持部材１０を介して結合固定し、操作体８の連結部９を後下方へと折曲した略Ｌ字状に形成して、この略Ｌ字状の連結部９の下端９ａと前記レリース５のインナーワイヤ７の上端７ａとを結合している。また、バックガード部３の前面壁３１に形成した取付用開口１１に操作体８を上下方向スライド自在に係合保持させ、操作体８の前表面に操作摘み片１２を突設している。
【００１４】
以下、この実施形態の排水栓遠隔操作装置をより具体的詳細に説明する。この実施形態の排水栓遠隔操作装置は、図１（ａ）に示すように、洗面台に用いられるものである。この洗面台にあっては、キャビネット１３上に洗面ボウル１を有する洗面カウンター２が固定されている。キャビネット１３は床面Ｆ上に設置され、洗面カウンター２と共にその背面が壁面Ｗに当接されており、その内部は収納スペース１４として使用される。キャビネット１３の前面は扉（図示せず）によって開閉されるもので、洗面用具、浴室用具等の小物が収納スペース１４内から出し入れされる。
【００１５】
洗面カウンター２は、洗面ボウル１やバックガード部３等と一体に合成樹脂で形成されたものであるが、洗面ボウル１は、洗面カウンター２及びバックガード部３とは別体に陶器やステンレス等で形成されて固着一体化されてもよい。洗面ボウル１の底部分には排水口１５が設けられており、この排水口１５は排水栓４によって開閉される。排水栓４が開動作されると、洗面ボウル１から排水口１５を通じて排水管１６へと汚水は排水除去される。排水栓４を開閉動作させる操作手段Ａとしての操作体８が、バックガード部３の前面に上下方向でスライド動作されるよう付設されている。
【００１６】
図２に示すように、洗面ボウル１の排水口１５には排水筒部１７が垂設されており、この排水筒部１７内には、排水から毛髪や糸屑等を除去するために、ヘアキャッチャー１８が着脱自在に装着されている。ヘアキャッチャー１８には支持杆１９が上下方向スライド自在に貫通保持されており、この支持杆１９の上端部分に排水栓４となるケレップが固着一体化されている。排水筒部１７の下端部分にはＬ字状に折曲した連結管２０が接続されており、この連結管２０には前記排水管１６が接続されている。
【００１７】
そして、連結管２０の下端底壁部分に前記レリース５のアウターチューブ６の他方端部が結合固定され、この他方端部で上下方向に摺動されるインナーワイヤ７の他方上端には作動杆２１が結合されており、この作動杆２１と前記支持杆１９とは一体となって上下方向にスライド動作されるものである。これにより、前記操作体８のスライド動作に連動して、排水栓４が開閉動作される。なお、図２中の２２は、前記洗面ボウル１の上部に形成されたオーバーフロー孔（図示せず）から流出したオーバーフロー水を排水筒部１７内へと案内して、排水口１５からの排水と合流させるオーバーフロー管である。
【００１８】
図１（ｂ）に示すように、バックガード部３には壁面Ｗとの間に内部スペースＳが形成される。バックガード部３の前面壁３１には上下方向に長いスリット状の取付用開口１１が形成されており、この取付用開口１１には操作体８が上下方向スライド自在に係合保持されている。この場合、操作体８の裏側に間隔を開け当接板部２３が一体に形成されており、操作体８と当接板部２３とで取付用開口１１の口縁部分が摺動自在に挟持されることによって、操作体８は取付用開口１１でスライド自在に係合保持されている。
【００１９】
また、操作体８の前表面には水平片状の操作摘み片１２が突設され、操作体８の裏側には後下方へと折曲した略Ｌ字片状の連結部９が突設されており、これ等は合成樹脂にて一体に形成されたものである。なお、操作体８は金属で形成されてもよく、取付用開口１１の表側と裏側とが別体に形成されたものが、取付用開口１１に取り付ける際に結合一体化されて形成されてもよい。
【００２０】
バックガード部３の内部スペースＳにあっては、レリース５のアウターチューブ６の端部が、バックガード部３の前面壁３１の裏側に、支持部材１０を介して結合固定されている。この場合、前面壁３１の裏面に支持部材１０が固着突出され、その突出先端部分には上下に開口貫通した円筒状体２４が付設されており、レリース５のアウターチューブ６の上端部６ａは同円筒状体２４の下端部分に螺合される袋ナット２５によって結合固定されている。
【００２１】
そして、円筒状体２４内には前記略Ｌ字片状に折曲した連結部９の下端９ａが上下方向摺動自在に嵌合され、この連結部９の下端９ａと前記レリース５のインナーワイヤ７の上端７ａとが同円筒状体２４内において結合されている。この場合、操作体８を上方へスライド動作させると前記排水栓４が下降し閉動作されて排水口１５は閉塞され、操作体８を下方へスライド動作させると前記排水栓４が上昇し開動作されて排水口１５は開口されるものである。
【００２２】
したがって、この実施形態の排水栓遠隔操作装置においては、バックガード部３の前面に洗面ボウル１の排水栓４を開閉動作させる操作手段Ａを備えており、しかも、操作手段Ａとして付設される操作体８がバックガード部３の前面に上下方向でスライド動作されるものであるため、操作手段Ａとなる操作体８は大きく突出しないので邪魔にならず、洗面ボウル１を有する洗面カウンター２の上面及びその上方のスペースを広く使用することができ、手洗いや歯磨きやシャンプー等を行い易くなる。
【００２３】
また、操作体８の後側にはバックガード部３の内部スペースＳへと突出する連結部９が設けられ、同内部スペースＳではレリース５の端部が上方へ向けて固定されており、このレリース５の端部で上下方向に摺動されるインナーワイヤ７の上端７ａと前記操作体８の連結部９とが結合されるため、レリース５はバックガード部３の内部スペースＳで曲げられることなく略直線状に納められ、レリース５のアウターチューブ６内におけるインナーワイヤ７の摺動性に支障を来たすことがない。
【００２４】
更に、この場合、バックガード部３の内部スペースＳにおいてレリース５は上下方向で略直線状にして収容されるので、バックガード部３の内部スペースＳを前後に狭く形成することができ、バックガード部３の前後奥行き寸法を小さく抑えて、洗面カウンター２全体を前後に小さくコンパクトにすることができる。また、バックガード部３の内部スペースＳにおいてレリース５を無理に折り曲げることがなくなり、レリース５の破損も防止される。
【００２５】
また、この実施形態の排水栓遠隔操作装置においては、バックガード部３の内部スペースＳ内で、レリース５のアウターチューブ６の上端部６ａがバックガード部３の前面壁３１の裏側に、円筒状体２４や袋ナット２５を有する支持部材１０を介して結合固定されるため、レリース５の端部は上方へ向いた状態で強固に固定される。そして、操作体８の連結部９が後下方へと折曲した略Ｌ字状に形成されているので、この略Ｌ字状の連結部９の下端９ａとレリース５のインナーワイヤ７の上端７ａとは、支持部材１０の円筒状体２４内で納まり良く確実に結合される。
【００２６】
また、この実施形態の排水栓遠隔操作装置においては、バックガード部３の前面壁３１に形成された取付用開口１１に操作体８が上下方向スライド自在に係合保持されているので、操作体８は前方へ大きく突出することなく確実にスライドガイドされ、しかも、操作体８の前表面に操作摘み片１２が突設されているため、操作体８は全体として大きくならずに、操作摘み片１２だけが前方へ突出して邪魔になり難く、この操作摘み片１２を摘んで操作し易いものとなる。
【００２７】
なお、本願発明の操作手段は、上記実施形態における操作手段Ａの構成に限定されるものでなく、バックガード部３の前面に上下方向でスライド動作される操作体８を有し、この操作体８からバックガード部３の内部スペースＳに突出される連結部９が、同内部スペースＳで上方へ向けて固定されるレリース５の端部で上下方向に摺動するインナーワイヤ７の上端７ａに結合されるものであればよいものである。また、本願発明の排水栓遠隔操作装置は、洗面ボウルを流しシンク、洗面カウンターをキッチンカウンターとして、流し台において実施することもできるものである。
【図面の簡単な説明】
【００２８】
【図１】本願発明の一実施形態である排水栓遠隔操作装置が用いられた洗面台を示す（ａ）は概略縦断面図、（ｂ）は同排水栓遠隔操作装置の要部を示す縦断面図。
【図２】同排水栓遠隔操作装置の排水栓部分を示す縦断面図。
【図３】従来例である排水栓遠隔操作装置の要部を示す縦断面図。
【図４】別の従来例である排水栓遠隔操作装置の要部を示す縦断面図。
【符号の説明】
【００２９】
１  洗面ボウル
２  洗面カウンター
３  バックガード部
３１  前面壁
４  排水栓
５  レリース
６  アウターチューブ
７  インナーワイヤ
７ａ  上端
８  操作体
９  連結部
９ａ  下端
１０  支持部材
１１  取付用開口
１２  操作摘み片
Ａ  本願発明の実施形態における操作手段
Ｂ、C  従来例における操作手段
Ｓ  内部スペース
【図１】
0004419974.tif 000002
【図２】
0004419974.tif 000003
【図３】
0004419974.tif 000004
【図４】
0004419974.tif 000005